(57)【特許請求の範囲】
【請求項１】
児収容空間の周壁部に形成されている手挿入用開口と、往復回動によって上記手挿入用開口のほぼ全体を開放および閉鎖することができる手入れ扉と、上記手入れ扉を往復回動可能に保持するために、上記周壁部に取り付けられることができる第１の支持枠部材と、上記閉鎖のための閉鎖位置に上記手入れ扉を保持することができるラッチ機構とを備え、
絞り窓を形成することができる絞り窓形成部材の一方の端部を支持するために、上記周壁部に取り付けられることができる第２の支持枠部材と、上記絞り窓形成部材の他方の端部を支持することができる第３の支持枠部材とをさらに備え、
上記第１の支持枠部材が上記周壁部に取り付けられている第１の状態においては、上記手挿入用開口が上記手入れ扉によって開放および閉鎖され得るように構成されるとともに、上記第２の支持枠部材、上記第３の支持枠部材および上記絞り窓形成部材のそれぞれが上記周壁部に取り付けられている第２の状態においては、上記手挿入用開口が上記絞り窓として機能し得るように構成されていることを特徴とする保育器。
【請求項２】
上記手入れ扉の被軸支部が、上記第１の支持枠部材に回動可能に軸支され、
上記手入れ扉のうちの上記被軸支部以外の部分の形状が、上記手入れ扉の上記閉鎖の状態において上記脚側の周壁部をほぼ正面から見たときに、上記脚側の周壁部の上記手挿入用開口とほぼ同形であるように構成されていることを特徴とする請求項１に記載の保育器。
【請求項３】
上記ラッチ機構のラッチ解除用摘み部およびラッチ爪部が、上記手入れ扉の上記閉鎖の状態において上記手入れ扉をほぼ正面から見たときに、上記手入れ扉から外方に食み出していないように構成されていることを特徴とする請求項１または２に記載の保育器。
【請求項４】
上記第１の支持枠部材の外周囲にほぼ環形状に形成されている環状凹部をさらに備え、
上記第１の支持枠部材および上記手入れ扉のそれぞれが上記周壁部に取り付けられている状態においては、ほぼ環形状に形成されている環状弾性パッキンが、第１の支持枠部材を上記周壁部に弾性的に位置保持するために、上記第１の支持枠部材の上記環状凹部に係合するように構成されていることを特徴とする請求項１〜３のうちのいずれか１つに記載の保育器。
【請求項５】
上記第２の支持枠部材の外周囲にほぼ環形状に形成されている環状凹部をさらに備え、
上記第２の支持枠部材、上記第３の支持枠部材および上記絞り窓形成部材のそれぞれが上記周壁部に取り付けられている状態においては、ほぼ環形状の弾性パッキンが、上記第２の支持枠部材を上記周壁部に弾性的に位置保持するために、上記第２の支持枠部材の上記環状凹部に係合するように構成されていることを特徴とする請求項１〜４のうちのいずれか１つに記載の保育器。
【請求項６】
回り止め用突起部が上記手入れ扉に設けられ、
第１の係合用欠如部および第２の係合用欠如部のそれぞれが上記周壁部に設けられ、
上記回り止め用突起部が上記第１の係合用欠如部に係合している第１の状態においては、上記回り止め用突起部が上記第２の係合用欠如部に係合している第２の状態に較べて、上記第１の支持枠部材の左右がほぼ逆になるように、上記第１の支持枠部材が平面的にほぼ１８０°回動した状態であるように構成したことを特徴とする請求項１〜５のうちのいずれか１つに記載の保育器。
【請求項７】
上記保育器が閉鎖型保育器であることを特徴とする請求項１〜６のうちのいずれか１つに記載の保育器。
【発明の詳細な説明】
【技術分野】
【０００１】
本発明は、児収容空間の周壁部に形成されている手挿入用開口と、上記手挿入用開口を閉鎖することができる手入れ扉と、上記手入れ扉を往復回動可能に保持するために、上記周壁部に取り付けられることができる支持枠部材と、上記閉鎖のための閉鎖位置に上記手入れ扉を保持することができるラッチ機構とを備えている保育器に関するものである。
【背景技術】
【０００２】
特許文献１に開示されている保育器（以下、「特許文献１の保育器」という。）は、児収容空間の周壁部に形成されている手挿入用開口と、上記手挿入用開口を閉鎖することができる手入れ窓用の蓋と、上記手入れ窓用の蓋のほぼ中央の部分を開放および閉鎖することができるように、上記手入れ窓用蓋に往復回動可能に取り付けられている手入れ扉と、上記閉鎖のための閉鎖位置に上記手入れ扉を保持することができるラッチレバーとを備えている。そして、特許文献１の保育器においては、上記手入れ窓用蓋を上記周壁部から取り外してから、絞り窓形成部材を上記手挿入用開口に取り付けることによって、手入れ窓を絞り窓に変更することができる。
【特許文献１】特開平１０−２４８８８７号公報
【発明の開示】
【発明が解決しようとする課題】
【０００３】
しかし、特許文献１の保育器においては、上記手入れ扉の表面積が、上記手挿入用開口を閉鎖することができる手入れ窓用蓋の表面積のほぼ半分程度の大きさである。このために、取扱者が上記手入れ扉を開放してからこの取扱者の手を上記手挿入用開口に挿入したときに、手入れ挿入用開口のうちの実際に開放されている開放部分の面積が小さいために、取扱者は、保育器のエンクロージャ内での必要な作業を容易にかつ十分に行うことができ難い。
【０００４】
本発明は、特許文献１の保育器における上述のような課題を比較的簡単な構成でもって効果的に解決するようにしたものである。
【特許文献１】特開平１０−２４８８８７号公報
【課題を解決するための手段】
【０００５】
本発明は、児収容空間の周壁部に形成されている手挿入用開口と、往復回動によって上記手挿入用開口のほぼ全体を開放および閉鎖することができる手入れ扉と、上記手入れ扉を往復回動可能に保持するために、上記周壁部に取り付けられることができる第１の支持枠部材と、上記閉鎖のための閉鎖位置に上記手入れ扉を保持することができるラッチ機構とを備え、絞り窓を形成することができる絞り窓形成部材の一方の端部を支持するために、上記周壁部に取り付けられることができる第２の支持枠部材と、上記絞り窓形成部材の他方の端部を支持することができる第３の支持枠部材とをさらに備え、上記第１の支持枠部材が上記周壁部に取り付けられている第１の状態においては、上記手挿入用開口が上記手入れ扉によって開放および閉鎖され得るように構成されるとともに、上記第２の支持枠部材、上記第３の支持枠部材および上記絞り窓形成部材のそれぞれが上記周壁部に取り付けられている第２の状態においては、上記手挿入用開口が上記絞り窓として機能し得るように構成されていることを特徴とする保育器に係るものである。
【０００６】
また、本発明は、その第１の観点においては、上記手入れ扉の被軸支部が、上記第１の支持枠部材に回動可能に軸支され、上記手入れ扉のうちの上記被軸支部以外の部分の形状が、上記手入れ扉の上記閉鎖の状態において上記脚側の周壁部をほぼ正面から見たときに、上記脚側の周壁部の上記手挿入用開口とほぼ同形であるように構成されている。そして、本発明は、その第２の観点においては、上記ラッチ機構のラッチ解除用摘み部およびラッチ爪部が、上記手入れ扉の上記閉鎖の状態において上記手入れ扉をほぼ正面から見たときに、上記手入れ扉から外方に食み出していないように構成されている。
【０００７】
また、本発明は、その第３の観点においては、上記第１の支持枠部材の外周囲にほぼ円環形状などのほぼ環形状に形成されている環状凹部をさらに備え、上記第１の支持枠部材および上記手入れ扉のそれぞれが上記周壁部に取り付けられている状態においては、ほぼ円環形状などのほぼ環形状の環状弾性パッキンが、第１の支持枠部材を上記周壁部に弾性的に位置保持するために、上記第１の支持枠部材の上記環状凹部に係合するように構成されている。
【０００８】
さらに、本発明は、その第４の観点においては、上記第２の支持枠部材の外周囲にほぼ円環形状などのほぼ環形状に形成されている環状凹部をさらに備え、上記第２の支持枠部材、上記第３の支持枠部材および上記絞り窓形成部材のそれぞれが上記周壁部に取り付けられている状態においては、ほぼ円環形状などのほぼ環形状の環状弾性パッキンが、上記第２の支持枠部材を上記周壁部に弾性的に位置保持するために、上記第２の支持枠部材の上記環状凹部に係合するように構成されている。そして、本発明は、その第５の観点においては、回り止め用突起部が上記手入れ扉に設けられ、第１の係合用欠如部および第２の係合用欠如部のそれぞれが上記周壁部に設けられ、上記回り止め用突起部が上記第１の係合用欠如部に係合している第１の状態においては、上記回り止め用突起部が上記第２の係合用欠如部に係合している第２の状態に較べて、上記第１の支持枠部材の左右がほぼ逆になるように、上記第１の支持枠部材が平面的にほぼ１８０°回動した状態であるように構成されている。さらに、本発明は、その第６の観点においては、上記保育器が閉鎖型保育器である。
【発明の効果】
【０００９】
請求項１に係る発明によれば、手入れ扉の表面積が、児収容空間の周壁部に形成されている手挿入用開口の表面積とほぼ同程度の大きさである。このために、取扱者が上記手入れ扉を開放してからこの取扱者の手を上記手挿入用開口に挿入したときに、手挿入用開口のほぼ全部が実際に開放されるために、取扱者は、保育器の児収容空間内での必要な作業を容易にかつ十分に行うことができる。また、絞り窓形成部材を児収容空間の周壁部に取り付ける作業も比較的容易であるとともに、上記絞り窓形成部材と手入れ扉との相互の交換も比較的容易であり、しかも、この相互の交換時における清拭性や交換性に優れており、さらに、部品点数を比較的少なくすることができる。
【００１０】
また、請求項２に係る発明によれば、手入れ扉が特に邪魔になったり、手入れ扉の体裁が特に悪くなったりすることなく、手入れ扉を比較的大きくすることができる。そして、請求項３に係る発明によれば、ラッチ機構のラッチ解除用摘み部およびラッチ爪部が特に邪魔になったり、ラッチ機構の体裁が特に悪くなったりすることがないようにすることができる。さらに、請求項４に係る発明によれば、第１の支持枠部材を比較的簡単な構成でもって児収容空間の周壁部に弾性的に取り付けることができる。そして、請求項５に係る発明によれば、第２の支持枠部材を比較的簡単な構成でもって児収容空間に弾性的に取り付けることができる。
【００１１】
また、請求項６係る発明によれば、右利きの取扱者にとって取り扱い易い第１の状態と、左利きの取扱者にとって取り扱い易い第２の状態とのいずれか一方の状態を選択して、第１の支持枠部材を児収容空間の周壁部に取り付けることができるから、取扱者が左利きの場合には、上記第２の状態を選択することによって、左利きの取扱者が第１の支持枠部材を取り扱い易いようにすることを比較的簡単に行うことができる。そして、請求項７に係る発明によれば、保育器が閉鎖型であるから、児収容空間内に外気が入り込み難い保育器を提供することができる。
【図面の簡単な説明】
【００１２】
【図１】本発明を閉鎖型保育器に適用した一実施例における保育器の、絞り窓形成機構を脚側の周壁部の手入れ窓に取り付けた状態での斜視図である。（実施例１）
【図２】図１に示す保育器の、互換用手入れ扉機構を脚側の周壁部の手入れ窓に取り付けた状態での斜視図である。（実施例１）
【図３】図１に示す絞り窓形成機構の分解斜視図である。（実施例１）
【図４】図３に示す絞り窓形成機構の縦断面図である。（実施例１）
【図５】図１に示す絞り窓形成機構の、絞り窓が開放されている状態での部分的な断面図である。（実施例１）
【図６】図２に示す互換用手入れ扉機構を手入れ窓から取り外した状態での、互換用手入れ扉機構の分解斜視図である。（実施例１）
【図７】図６に示す互換用手入れ扉機構の横断面図である。（実施例１）
【図８】図７に示す互換用手入れ扉機構を脚側の周壁部に取り付ける第１の工程を示す横断面図である。（実施例１）
【図９】図７に示す互換用手入れ扉機構を脚側の周壁部に取り付ける第２の工程を示す横断面図である。（実施例１）
【図１０】図７に示す互換用手入れ扉機構を脚側の周壁部に取り付ける第３の工程を示す横断面図である。（実施例１）
【図１１】図７に示す互換用手入れ扉機構を脚側の周壁部に取り付ける第４の工程を示す横断面図である。（実施例１）
【発明を実施するための形態】
【００１３】
つぎに、本発明を閉鎖型保育器に適用した一実施例を、「１、保育器全体の概略的な説明」、「２、絞り窓形成機構の説明」および「３、互換用手入れ扉機構の説明」に項分けして、図１〜図１１を参照しつつ説明する。
【００１４】
１、保育器全体の概略的な説明
【００１５】
閉鎖型保育器１１は、図１および図２に示すように、平面的に見てほぼ長方形状（換言すれば、ほぼ直方体形状）などの保育器基台１２と、この保育器基台１２のほぼ外周囲に沿ってこの保育器基台１２上に立設されているほぼ直方体形状などのエンクロージャ１３と、保育器基台１２をそのほぼ上面に取り付け固定している保育器基台支持手段または保育器基台支持機構としての台車１４とをそれぞれ備えている。そして、エンクロージャ１３は、取り付けおよび取り外しがそれぞれ容易なように、保育器基台１２上に取り付け固定されている。また、台車１４の下側面のほぼ四隅のそれぞれには、保育器１１を移動させるのに用いられる車輪１５がそれぞれ取付け支持されている。なお、保育器基台１２は、必要に応じて、取付けおよび取外しがそれぞれ容易なように台車１４に取り付け固定されていてもよいし、一旦取付けられた後には容易に取り外しができないように取り付け固定されていてもよい。例えば、保育器基台１２は、ボルトとナットとから成る連結具（図示せず）によって、台車１４に比較的容易に取り外しが可能なように取り付け固定されていてもよい。
【００１６】
エンクロージャ１３は、図１および図２に示すように、このエンクロージャ１３に収容されている児の頭側の壁部を構成している第１の固定側の周壁部としての頭側の周壁部（換言すれば、エンクロージャ１３の長く延在する長さ方向に延在している一対の周壁部のうちの一方の側の周壁部）２１と、児の脚側の壁部を構成している第２の固定側の周壁部としての脚側の周壁部（換言すれば、エンクロージャ１３の長く延在する長さ方向に延在している一対の周壁部のうちの他方の側の周壁部であって、第１の周壁部２１にほぼ対向している第２の周壁部）２２と、第１の可動側の周壁部としての前側の周壁部（児の右側の周壁部であって、エンクロージャ１３の短く延在する幅方向に延在している一対の周壁部のうちの一方の側の周壁部である第３の周壁部）２３と、第２の可動側の周壁部としての後側の周壁部（児の左側の周壁部であって、エンクロージャ１３の短く延在する幅方向に延在している一対の周壁部のうちの他方の側の周壁部である第４の周壁部）２４と、これらの周壁部２１〜２４によって囲まれている児収容空間２５の上面のほぼ全体を覆うように配設されている天面フード２６とをそれぞれ備えている。なお、エンクロージャ１３は、そのほぼ全体がほぼ透明、ほぼ半透明などであってよい。そして、周壁部２１〜２４および天面フード２６のそれぞれは、例えば、ほぼ透明、ほぼ半透明などのポリカーボネート樹脂、アクリル樹脂、ＡＢＳ樹脂などのほぼ透明、ほぼ半透明などの熱可塑性合成樹脂、ほぼ透明、ほぼ半透明などのその他の合成樹脂などのほぼ透明、ほぼ半透明などの材料から、構成されていてよい。
【００１７】
図１および図２に示す台車１４は、そのほぼ全体がスチール製などの金属製などであってよく、また、ほぼ直方体形状などのほぼ箱形の形状などであってよい。そして、台車１４は、前側の面２７などの少なくとも１つの側面のほぼ全体などが開口することによって形成されている開口部３２を有する台車本体３１と、この台車本体３１の開口部３２を開閉するために、この台車本体３１に回動可能にそれぞれ取り付けられている左右一対の開閉扉３３ａ、３３ｂとをそれぞれ備えている。なお、左側の開閉扉３３ａは、台車本体３１の前側で左側の端部の付近を回動支点として往復回動し得るように、台車本体３１に取り付けられている。また、前側で右側の開閉扉３３ｂは、台車本体３１の前側で右側の端部の付近を回動支点として往復回動し得るように、台車本体３１に取り付けられている。
【００１８】
保育器基台１２の左側の壁部３４および右側の壁部３５のそれぞれの上部の付近の外側面には、図１および図２に示すように、左側の把手部３６および右側の把手部３７がそれぞれ取り付け固定されている。なお、左側および右側の把手部３６、３７は、扁平なほぼＵ字形状などであってよい。そして、これらの把手部３６、３７のそれぞれの両端部は、左側の壁部３４および右側の壁部３５のそれぞれに、取り付け固定または一体成形されていてよい。さらに、保育器基台１２の左側の側面部には、加湿器ユニット４１が、引き抜きなどによって保育器基台１２から取り出すことができるように、着脱可能に装着されている。そして、保育器基台１２の右側の側面部には、エンクロージャ１３の内部に配設されている臥床架（換言すれば、臥床台−図示せず）の頭側の部分から脚側の部分に掛けての傾斜角度を調整するのに用いられる角度調整用摘み４２が、配設されている。
【００１９】
頭側の周壁部２１は、図１および図２に示す脚側の周壁部２２とほぼ同一の大きさでかつほぼ同一の形状（ただし、図１および図２においては、両者がほぼ左右対称的になるようにほぼ向き合った状態で配置されている。）であってよい。そして、図１に示す場合には、布製などの絞り面を含む絞り窓形成部材（換言すれば、絞り蓋）４３が取り付けられている手挿入用開口４４が、頭側の周壁部２１および脚側の周壁部２２のそれぞれの中央部分に形成されている。また、図２に示す場合には、ほぼ透明であってよい互換用手入れ扉３８が、頭側の周壁部２１および脚側の周壁部２２のうちの少なくとも脚側の周壁部２２の中央部分にほぼ円形状などに形成されている手挿入用開口４４を開閉し得るように、少なくとも周壁部２２に取り付けられている。さらに、頭側の周壁部２１および脚側の周壁部２２のそれぞれの前側の部分および後側の部分のそれぞれには、切り込み（図示せず）が形成されている。そして、これらの切り込みのそれぞれには、グロメット部材４５がそれぞれ取り付けられている。なお、頭側の周壁部２１および脚側の周壁部２２のそれぞれの上端部の付近には、前後一対のラッチ機構４６のそれぞれの被係合部が、一体成形などによってそれぞれ配設されている。そして、頭側の周壁部２１の後側の端部および脚側の周壁部２２の前側の端部のそれぞれの上端部の付近には、第１のラッチ機構４７の被係合部としてのラッチ受け部５１が一体成形などによって配設されている。また、頭側の周壁部２１のうちの後側の端部の付近でかつ上側の端部の付近には、酸素センサなどの補助的な器具を取り付けるための開口（図示せず）が形成されている。
【００２０】
図１および図２に示す前側の周壁部２３は、後側の周壁部２４とほぼ同一の大きさでかつほぼ同一の形状（ただし、図１および図２においては、両者がほぼ左右対称的になるようにほぼ向かい合った状態で配置されている。）であってよい。そして、前側の周壁部２３および後側の周壁部２４のそれぞれの左側の部分および右側の部分のそれぞれには、左側の手入れ窓５２および右側の手入れ窓５３がそれぞれ配設されている。また、前側の周壁部２３および後側の周壁部２４のそれぞれの左側の部分および右側の部分のそれぞれには、左側の手入れ窓５２および右側の手入れ窓５３のそれぞれを開放したり閉鎖したりすることがそれぞれできかつそれぞれほぼ透明であってよい左側の手入れ扉５４および右側の手入れ扉５５がそれぞれ配設されている。なお、符号５６は、左側および右側の手入れ扉５４、５５のそれぞれの回動支軸機構である。そして、符号５７は、左側および右側の手入れ扉５４、５５のそれぞれのラッチ機構である。
【００２１】
保育器基台１２の前側の部分６１および後側の部分６２のそれぞれの上端部の付近の左右両側の部分の付近には、図１および図２に示すように、左側のヒンジ部６３および右側のヒンジ部６４が回動軸部（図示せず）によって往復回動可能（換言すれば、外側に向かって往回動可能でかつ内側に向って復回動可能）に配設されている。そして、前側の周壁部２３および後側の周壁部２４のそれぞれには、これらの周壁部２３、２４が閉鎖状態になっているときに天面フード２６の前側および後側の下端部のそれぞれと係合する左右一対の第２のラッチ機構６５が、それぞれ配設されている。また、前側の周壁部２３および後側の周壁部２４のそれぞれの左側の端部の付近でかつ上側の端部の付近には、第１のラッチ機構４７の係合部としてのラッチレバー６６がそれぞれ配設されている。そして、前側または後側の周壁部２３、２４を開放するときには、ラッチレバー６６を往動操作することによって、これらのラッチレバー６６を被係合部としてのラッチ受け部材５１から離脱させた後に、前側または後側の周壁部２３、２４を開放させればよい。
【００２２】
天面フード２６は、図１および図２に示すように、ほぼ四角錐台形状などであってよく、そして、その下面が全面的に開口している中空体であってよい。なお、頭側の周壁部２１、脚側の周壁部２２、前側の周壁部２３および後側の周壁部２４によって、平面的に見てほぼ長方形状（換言すれば、上面および下面のそれぞれがほぼ全体的に開口しているほぼ角筒形状）などの周囲枠部７１が構成されている。そして、周囲枠部７１と、この周囲枠部７１の上面開口を選択的に覆うことができる天面フード２６とによって、エンクロージャ１３が構成されている。さらに、天面フード２６の頭側の端部および脚側の端部のそれぞれの前側の部分および後側の部分のそれぞれには、前後一対のラッチ機構４６の係合部７８がそれぞれ配設されている。
【００２３】
図１および図２に示す前側の周壁部２３、頭側の周壁部２１、後側の周壁部２４および脚側の周壁部２２によって、上端および下端がそれぞれほぼ全面的に開口している周囲枠部７１が構成されている。そして、周囲枠部７１の上端開口のほぼ全面は、天面フード２６によって覆われている。また、天面フード２６の左側の下端部および右側の下端部のそれぞれは、前後一対のラッチ機構４６のそれぞれによって、頭側の周壁部２１および脚側の周壁部２２にそれぞれ取り付け固定されている。このために、天面フード２６の頭側の壁部７２および脚側の壁部７３のそれぞれが、周囲枠部７１の頭側の周壁部２１および脚側の周壁部２２のそれぞれに連結されている。そして、天面フード２６の頭側の壁部７２および脚側の壁部７３のそれぞれの下端部は、頭側および脚側のそれぞれの前後一対のラッチ機構４６によって、周囲枠部７１の頭側および脚側の周壁部２１、２２のそれぞれの上端部に、それぞれ取外し可能な状態でもって、取り付け固定されることができる。
【００２４】
前側の周壁部２３および後側の周壁部２４のそれぞれを図１および図２に示す復回動位置に確実に保持するために、第２のラッチ機構６５が、前側の周壁部２３および後側の周壁部２４のそれぞれに配設されている。なお、第２のラッチ機構６５を図１に示すほぼ直立した状態以外の状態（例えば、ほぼ下垂した状態またはほぼ横倒しの状態）にしておいてから、前側または後側の周壁部２３、２４のそれぞれを開放位置から閉鎖位置に回動させた後に、第２のラッチ機構６５のそれぞれを回動操作することによって、第２のラッチ機構６５のそれぞれをほぼ直立した状態にすることができる。そして、この回動操作によって、前側または後側の周壁部２３、２４を閉鎖位置に確実にかつ簡単にロックすることができる。また、上述の場合とは逆の操作を行うことによって、上記ロックを解除することができる。なお、前側または後側の壁部２３、２４のそれぞれを開放させたいときには、上記ロック解除を行った後に、ラッチレバー６６をラッチ受け部材５１から離脱させてから、前側および後側の周壁部２３、２４のそれぞれを往回動させればよい。
【００２５】
前側の周壁部２３および後側の周壁部２４のそれぞれには、図１および図２に示すように、左側の手入れ扉機構７４および右側の手入れ扉機構７５がそれぞれ配設されている。なお、前側の周壁部２３の右側の手入れ扉機構７５は、前側の周壁部２３の左側の手入れ扉機構７４とは、ほぼ左右対称的である。そして、後側の周壁部２４の左側の手入れ扉機構は、後側の周壁部２４の右側の手入れ扉機構とは、ほぼ左右対称的である。また、後側の周壁部２４の左側の手入れ扉機構は、前側の周壁部２３の右側の手入れ扉機構７５とは、ほぼ前後対称的である。さらに、後側の周壁部２４の右側の手入れ扉機構は、前側の周壁部２３の左側の手入れ扉機構７４とは、ほぼ前後対称的である。
【００２６】
２、絞り窓形成機構の説明
【００２７】
エンクロージャ１３の頭側の周壁部２１および脚側の周壁部２２のそれぞれには、図１などに示すように、ほぼ円形状の手挿入用開口４４がそれぞれ形成されている。そして、手挿入用開口４４の付近に配設されている絞り窓形成機構８１は、図３〜図５に示すように、頭側の周壁部２１および脚側の周壁部２２のそれぞれの内側面からこれらの周壁部２１、２２のそれぞれに係合しているほぼ円環形状の支持枠部材８２と、頭側の周壁部２１および脚側の周壁部２２のそれぞれの外側面からこれらの周壁部２１、２２と支持枠部材８２との間にそれぞれ嵌合されているほぼ円環形状の弾性パッキン８３と、弾性パッキン８３の外側面にそれぞれ隣接するように、頭側の周壁部２１および脚側の周壁部２２のそれぞれの外側面から支持枠部材８２にそれぞれ嵌合されているほぼ円環形状の支持枠部材８４と、支持枠部材８４の外側面にそれぞれ隣接するように、頭側の周壁部２１および脚側の周壁部２２のそれぞれの外側面からこれらの周壁部２１、２２にそれぞれ嵌合されている絞り窓形成部材４３とを備えている。
【００２８】
支持枠部材８２の外周囲には、図４などに示すように、この外周囲の内側端から外側端に掛けて、周壁部２１、２２と弾性パッキン８３とが共通に係合することができる第１のリング状凹部８５と、この第１のリング状凹部８５に隣接しているほぼリング状の平坦面８６と、この平坦面８６に形成されている幅狭な第２のリング状凹部９１と、平坦面８６に隣接している第３のリング状凹部９２とのそれぞれが形成されている。そして、周壁部２１、２２の手挿入用開口４４の外周囲の付近の上端部および下端部のそれぞれには、互換用手入れ扉３８の回り止め用突起部９３が係合することができる係合用の欠如部９４、９５のそれぞれが、配設されている。また、弾性パッキン８３の外周囲には、図５に示すように、この弾性パッキン８３が周壁部２１、２２と支持枠部材８２との間に挟み込まれている状態において弾性パッキン８３を周壁部２１、２２および支持枠部材８２から取り外すときに取扱者が指で摘まむことができる摘み部９６が、弾性パッキン８３の中心から遠ざかるように、外方に向かって突設されている。なお、支持枠部材８２および支持枠部材８４のそれぞれは、例えば、ほぼ透明、ほぼ半透明、ほぼ不透明などのポリカーボネート樹脂、アクリル樹脂、ＡＢＳ樹脂などのほぼ透明、ほぼ半透明、ほぼ不透明などのその他の合成樹脂などのほぼ透明、ほぼ半透明、ほぼ不透明などの材料から、構成されていてよい。
【００２９】
図３において実線で示しかつ図４において鎖線で示す絞り窓形成部材４３を、図１に示すように、脚側の周壁部２２に取り付ける場合には、以下に記載のような取り付け操作を行えばよい。なお、絞り窓形成部材４３は、ほぼ円筒形であってもよいが、図３において実線で示しかつ図４において鎖線で示すように、全体として多少は円錐台形状になっているように構成されているのが好ましい。また、絞り窓形成部材４３の両端部（換言すれば、開口部）４３ａ、４３ｂのそれぞれには、ゴム紐などの弾性を有するほぼリング状の紐が必要に応じて取り付けられていてよい。なお、上記取り付け操作においては、まず、図３において実線で示しかつ図４において鎖線で示す絞り窓形成部材４３を、図３において鎖線で示しかつ図４において実線で示すように、そのほぼ軸心方向とはほぼ直交する方向に折り返せばよい。そして、絞り窓形成部材４３の径大の端部４３ａを支持枠部材８４の外周囲に係合させるとともに、絞り窓形成部材４３の径小の端部４３ｂを支持枠部材８２の第３のリング状凹部９２に係合させればよい。さらに、図１に示す絞り窓形成部材４３を脚側の周壁部２２から取り外す場合には、上述の取り付けの場合とは逆の操作を行えばよい。なお、絞り窓形成部材４３、支持枠部材８２、弾性パッキン８３および支持枠部材８４を脚側の周壁部２２に取り付けるのに際し、取り付けねじや接着剤などを特に使用する必要がないので、上記取り外しの作業が比較的簡単である。
【００３０】
図１および図３〜図５に示す保育器１１において、取扱者が保育器１１の内部に収容されている児に対して何らかの処置を施す場合には、この取扱者は、まず、支持枠部材８４を手動などでもって往回動させればよい。このために、絞り窓形成部材４３によって形成されている絞り窓９７が、ほぼ閉鎖された状態からほぼ開放された状態へと開口する。したがって、取扱者は、この取扱者の手や腕を絞り窓９７からエンクロージャ１３の内部に差し込むことによって、上記児に対する処置を施すことができる。また、取扱者は、人工呼吸器の酸素供給用などのチューブ（図示せず）を絞り窓９７からエンクロージャ１３の内部に差し込むこともできる。
【００３１】
３、互換用手入れ扉機構の説明
【００３２】
手挿入用開口４４の付近には、図１などに示す絞り窓形成機構８１に代えて、図２などに示す互換用手入れ扉機構１０１を配設することができる。そして、互換用手入れ扉機構１０１は、絞り窓形成機構８１の弾性パッキン８３と同一の物であるか、あるいは、実質的に同一の構成を有する物であってよい弾性パッキン１０２と、頭側の周壁部２１および脚側の周壁部２２のそれぞれの内側面から装着されてこれらの周壁部２１、２２のそれぞれに係合している支持枠部材１０３と、支持枠部材１０３に回動支軸１０４によって回動可能に軸支されている手入れ扉３８とを備えている。なお、横断面図として図７などに示す頭側および脚側の周壁部２１、２２のそれぞれには、図４に縦断面図として示す脚側の周壁部２１、２２のそれぞれと同一であってよい手挿入用開口４４が形成されている。したがって、弾性パッキン１０２は、図４などに示す弾性パッキン８３と同様に、摘み部９６を備えている。そして、周壁部２１、２２の手挿入用開口４４の外周囲の付近の上端部および下端部には、互換用手入れ扉３８の回り止め用突起部９３が選択的に係合することができる第１の係合用欠如部９４および第２の係合用欠如部９５のそれぞれが配設されている。
【００３３】
図７などに示す支持枠部材１０３は、図４に示す支持枠部材８２の第１のリング状凹部８５と実質的に同一の形状であってよいリング状凹部１０５を備えている。そして、支持枠部材１０３には、ほぼ横方向に突出している突出部１０６が連設されている。また、この突出部１０６には、手入れ扉３８が回動支軸１０４によって回動可能に軸支されている。さらに、手入れ扉３８の内側面には、ほぼ円形状などのほぼ環状の溝１１１が形成されている。そして、支持枠部材１０３の外側面には、この環状溝１１１に対応しているほぼ円形状などのほぼ環状の突条部１１２が形成されている。したがって、手入れ扉３８が図１０などに示すように閉鎖されている状態においては、環状突条部１１２が環状溝１１１にほぼ係合するので、手挿入用開口４４の気密性をほぼ保持することができる。さらに、手入れ扉３８の被軸支部１１３には、ゴムなどの弾性体から構成されているほぼ長方形状などのクッション板１１４が配設されている。なお、クッション手段としてのクッション板１１４は、手入れ扉３８が閉鎖されている状態において外側を向くように配設されている。
【００３４】
手入れ扉３８の先端部の側には、図７などに示すように、手入れ扉３８をラッチするためのラッチ機構９８のラッチ解除用摘み１１５が手入れ扉３８の外側にほぼ沿って直線往復動し得るように取り付けられている。そして、ラッチ解除用摘み１１５の内側面には、ラッチ爪部材１１６が一体的に結合されている。また、ラッチ爪部材１１６は、ほぼ水平方向に直線往復動し得るように、手入れ扉３８に取り付けられている。さらに、ラッチ爪部材１１６は、コイルスプリングなどのばね手段１１７によって、回動支軸１０４の側とは反対の側に向かってほぼ水平方向にばね付勢されている。そして、ラッチ解除用摘み１１５には、ラッチ爪部材１１６がばね手段１１７によって手入れ扉３８に激しく接触するのを防止するための緩衝用ストッパ１２１が取り付けられている。なお、緩衝用ストッパ１２１は、ゴムなどの弾性部材からほぼ円柱形状などの柱形状などに構成されていてよい。そして、手入れ扉３８、支持枠部材１０３、ラッチ解除用摘み１１５およびラッチ爪部材１１６のそれぞれは、例えば、ほぼ透明、ほぼ半透明、ほぼ不透明などのポリカーボネート樹脂、アクリル樹脂、ＡＢＳ樹脂などのほぼ透明、ほぼ半透明、ほぼ不透明などのその他の合成樹脂などのほぼ透明、ほぼ半透明、ほぼ不透明などの材料から、構成されていてよい。
【００３５】
手入れ扉３８と支持枠部材１０３との組み合わせ体１２２を脚側の周壁部２２に取り付ける場合には、図７〜図１１に示すように、つぎの（ａ）項〜（ｅ）項に記載の順序で行うことができる：
（ａ）図７に示すように、手入れ扉３８と支持枠部材１０３との組み合わせ体１２２を脚側の周壁部２２の内側に持ち来す。
（ｂ）図８に示すように、組み合わせ体１２２を斜めにして、突出部１０６の側が手挿入用開口４４から周壁部２２の外側に出るようにする。
（ｃ）図９に示すように、支持枠部材１０３のリング状凹部１０５のうちの外径の最も小さい部分１０７に手挿入用開口４４の縁部分を位置させてから、支持枠部材１０３のうちのリング状凹部１０５の外側部分１０８を突出部１０６の側から手挿入用開口４４の外側に順に移動させる。
（ｄ）図１０に示すように、支持枠部材１０３のリング状凹部１０５の外側部分１０８を手挿入用開口４４の外側に取り出した後に、リング状凹部１０５の内側に形成されている段部１０９を手挿入用開口４４の縁部分１１０に係合させる。
（ｅ）図１１に示すように、弾性パッキン１０２をリング状凹部１０５に係合させる。このために、弾性パッキン１０２がリング状凹部１０５の外側部分１０８と周壁部２２の外側面との間に挟み込まれるようになるので、支持枠部材１０３が周壁部２２の手挿入用開口４４の縁部分１１０に安定した状態で取り付けられる。
【００３６】
図２に示す組み合わせ体１２２を脚側の周壁部２２から取り外す場合には、上記（ａ）項〜（ｅ）項に記載した取り付けの場合とは逆の操作を行えばよい。なお、手入れ扉３８および支持枠部材１０３を脚側の周壁部２２に取り付けるのに際し、取付けねじや接着剤などを特に使用する必要がないので、上記取り外し作業が比較的簡単である。
【００３７】
周壁部２１、２２の手挿入用開口４４の外周囲の付近の上端部および下端部のそれぞれには、図６に示すように、第１の係合用欠如部９４および第２の係合用欠如部９５のそれぞれが配設されている。このために、互換用手入れ扉３８の回り止め用突起部９３は、第１の係合用欠如部９４および第２の係合用欠如部９５のうちのいずれにも選択的に係合することができる。なお、図２においては、回り止め用突起部９３を第１の係合用欠如部９４に係合させることによって、脚側周壁部２２に対する互換用手入れ扉３８の回り止めが施されている。そして、この図２に示す第１の状態において互換用手入れ扉３８を開閉させるのには、一般的に言って、取扱者が右利きである場合に適していて、右利きの取扱者が利き手で以って互換用手入れ扉３８を比較的容易に開閉させることができる。しかし、図２に示す上記第１の状態とは左右を逆にした第２の状態でもって回り止め用突起部９３を第２の係合用欠如部９５に係合させることによって、脚側周壁部２２に対する互換用手入れ扉３８を開閉させるのには、一般的に言って、取扱者が左利きである場合に適していて、左利きの取扱者が利き手で以って互換用手入れ扉３８を比較的容易に開閉させることができる。
【００３８】
図２などに示す保育器１１において、取扱者が保育器１１の内部に収容されている児に対して何らかの処置を施す場合には、この取扱者は、まず、手入れ扉３８のラッチ解除用摘み１１５を手動などでもって操作することによって手入れ扉３８のラッチ状態を解除してから、手入れ扉３８を往回動させればよい。具体的には、取扱者が図１１に示すラッチ解除用摘み１１５を左側から右側に向かって往動させると、手入れ扉３８のラッチ状態が解除される。このために、手入れ扉３８は、組み合わせ体１２２に組み込まれている捩りコイルばねなどのばね手段（図示せず）による弾性付勢力によって、回動支軸１０４を回動支点として図１０に示す反時計方向に往回動する。そして、この往回動は、手入れ扉３８のクッション板１１４が支持枠部材１０３の突出部１０６に当接するまで、約１８０°にわたって行われることができるので、支持枠部材１０３の中央開口１２３をほぼ全面的に開口させることができる。また、取扱者が手入れ扉３８を復回動させると、手入れ扉３８が上記往回動の場合とは逆の方向に回動するので、手入れ扉３８を図１０に示すラッチ状態に復元させることができる。
【００３９】
以上、本発明の一実施例について詳細に説明したが、本発明は、この実施例に限定されるものではなく、特許請求の範囲に記載されている発明の趣旨に基づいて各種の変更および修正が可能である。
【００４０】
例えば、上述の実施例においては、本発明を閉鎖型保育器に適用しているが、本発明は、閉鎖型保育器だけでなく、開放型兼用の閉鎖型保育器などの別のタイプの保育器にも適用することができる。
【００４１】
また、上述の実施例においては、手挿入用開口４４がほぼ円形状に構成されるとともに、支持枠部材８２の被軸支部１１３を除く部分（換言すれば、本体部分）もほぼ円形状に構成されている。しかし、上記手挿入用開口４４および上記本体部分のそれぞれは、ほぼ楕円形状、ほぼ長円形状などの別の形状であってもよい。
【００４２】
また、上述の実施例においては、手入れ扉３８の内側面に形成されている溝部１１１が手入れ扉３８の内側面にほぼ完全な環形状に形成されるとともに、支持枠部材１０３の外側面に形成されている突条部１１２もほぼ環状の溝１１１にほぼ完全な環形状に係合するように構成されている。しかし、場合によっては、上記溝１１１は、ほぼ完全な環形状ではなくて、多少とも途切れている部分を有していてもよく、上記突条部１１２も、上記途切れ部分に対応するなどしていて、多少とも欠如部分を有していてもよい。
【符号の説明】
【００４３】
１１        閉鎖型保育器（保育器）
２１        頭側の周壁部（第１の周壁部、第１の固定側の周壁部）
２２        脚側の周壁部（第２の周壁部、第２の固定側の周壁部）
２５        児収容空間
３８        手入れ扉（互換用手入れ扉）
４３        絞り窓形成部材（絞り蓋）
４４        手挿入用開口
８２        支持枠部材（第２の支持枠部材）
８３        弾性パッキン
８４        支持枠部材（第３の支持枠部材）
９３        回り止め用突起部
９４        第１の係合用欠如部
９５        第２の係合用欠如部
９７        絞り窓
９８        ラッチ機構
１０３      支持枠部材（第１の支持枠部材）
１０５      円環状凹部
１１３      被軸支部
１１５      ラッチ解除用摘み
【要約】
【課題】  取扱者が手入れ扉３８を開放してからこの取扱者の手を手挿入用開口４４に挿入したときに、手挿入用開口４４のほぼ全部が実際に開放されるために、取扱者が保育器１１の児収容空間２５内での必要な作業を容易にかつ十分に行うことができる保育器１１を提供する。
【解決手段】  第１の支持枠部材１０３が児収容空間２５の周壁部２２に取り付けられている第１の状態においては、手挿入用開口４４が手入れ扉３８によって開放および閉鎖され得るように構成されるとともに、第２の支持枠部材８２、第３の支持枠部材８４および絞り窓形成部材４３のそれぞれが周壁部２２に取り付けられている第２の状態においては、手挿入用開口４４が絞り窓９７として機能し得るように構成されている。
【選択図】図１１【図１】
0006047251.tif 000002
【図２】
0006047251.tif 000003
【図３】
0006047251.tif 000004
【図４】
0006047251.tif 000005
【図５】
0006047251.tif 000006
【図６】
0006047251.tif 000007
【図７】
0006047251.tif 000008
【図８】
0006047251.tif 000009
【図９】
0006047251.tif 000010
【図１０】
0006047251.tif 000011
【図１１】
0006047251.tif 000012